(57)【特許請求の範囲】
【請求項１】
天板及び天板を支持する複数本の脚を有するデスク本体と、
前記デスク本体の天板の一部を内部に収容可能な幅を有するとともに、前記デスク本体の脚を挿入可能な脚挿入穴が底板に形成された棚と、
を備え、
前記脚が前記脚挿入穴に挿入され、挿入された前記脚と対応する前記天板の一部が前記棚の内部に収容された第１の使用状態と、
前記デスク本体が前記棚に突き合わされた第２の使用状態とで、
それぞれ使用可能であることを特徴とするデスク装置。
【請求項２】
前記棚は、前記第１の使用状態で使用する時に前記デスク本体の脚が挿通される切り欠きが形成され、前記デスク本体の天板より低い位置に設けられる第１の補助棚を有することを特徴とする請求項１に記載のデスク装置。
【請求項３】
前記切り欠きと前記脚の間に、前記デスク本体及び前記棚の少なくともいずれか一方に設置された電気器具の電気配線を通過させるための隙間が設けられたことを特徴とする請求項２に記載のデスク装置。
【請求項４】
前記棚の底部に、前記電気配線を前記棚の外部へ逃がすための配線逃がし穴が、前記脚挿入穴に連通して形成されたことを特徴とする請求項３に記載のデスク装置。
【請求項５】
前記棚は、前記デスク本体の天板と同一面をなす位置に着脱可能に取り付けられる第２の補助棚を有することを特徴とする請求項１から４のいずれか一項に記載のデスク装置。
【発明の詳細な説明】
【技術分野】
【０００１】
本発明は、デスク本体と棚とを有するデスク装置に関するものである。
【背景技術】
【０００２】
学習用のデスク装置としては、天板が複数本の脚で支持されたデスク本体の上に、本やノートを収納するための棚が固定して設置されるものが広く知られている。このようなデスク装置は、棚の存在によって使い勝手が良くなる一方、頭上に棚が存在することによって使用者によっては圧迫感を感じ、天板上のスペースも狭くなってしまう。従って、近年、デスク本体と棚とを別体として構成し、使用者の用途や好みに応じて、例えばデスク本体の後部や側部に棚を自在に配置変更が可能なデスク装置が提唱されている（例えば、特許文献１を参照）。
【先行技術文献】
【特許文献】
【０００３】
【特許文献１】特開２００８−６２６１号公報
【発明の概要】
【発明が解決しようとする課題】
【０００４】
しかし、従来のデスク装置によれば、デスク本体の後部に別体の棚を配置した場合、デスク本体の前部に位置するユーザから棚までの距離が遠くなることによって、棚の存在による圧迫感は低減され、天板上のスペースを広く確保できる反面、ユーザが子供や小柄な体型の人である場合、棚に収納された本やノートを取り出しにくいという問題がある。
【０００５】
本発明は、このような事情を考慮してなされたものであり、その目的は、使用者の用途や好みに応じて天板上のスペースを確保した使用形態と、棚へのアクセス性が良好な使用形態とを選択することが可能なデスク装置を提供することにある。
【課題を解決するための手段】
【０００６】
上記目的を達成するために、本発明は以下の手段を採用している。すなわち、本発明に係るデスク装置は、天板及び天板を支持する複数本の脚を有するデスク本体と、前記デスク本体の天板の一部を内部に収容可能な幅を有するとともに、前記デスク本体の脚を挿入可能な脚挿入穴が底板に形成された棚と、を備え、前記脚が前記脚挿入穴に挿入され、挿入された前記脚と対応する前記天板の一部が前記棚の内部に収容された第１の使用状態と、前記デスク本体が前記棚に突き合わされた第２の使用状態とで、それぞれ使用可能であることを特徴とする。
【０００７】
このような構成によれば、第１の使用状態で使用する場合、デスク本体の脚を脚挿入穴に挿入させることによって、デスク本体の天板の一部が棚の内部に収容される。このため、棚の一部が天板上に配置されアクセス性が良好となる。一方、デスク本体の脚を脚挿入穴から抜き出し、デスク本体を棚に突き合わせて第２の使用状態で使用する場合、天板上のスペースを最大限に確保できる。
【０００８】
また、本発明に係るデスク装置は、前記棚は、前記第１の使用状態で使用する時に前記デスク本体の脚が挿通される切り欠きが形成され、前記デスク本体の天板より低い位置に設けられる第１の補助棚を有することを特徴とする。
【０００９】
このような構成によれば、デスク装置を第１の使用状態で使用する時は、デスク本体の脚を第１の補助棚の切り欠きを挿通させることにより、第１の補助棚が邪魔になることなく、脚を棚の脚挿入穴に挿入させることができる。また、第１の補助棚がデスク本体の天板より低い位置にあるので、第１の補助棚が邪魔になることなく、天板の一部を棚の内部に収容することができる。このため、棚の天板より上側へのアクセス性を良好としつつ、棚の天板より下側も第１の補助棚により有効に利用できる。
【００１０】
また、本発明に係るデスク装置は、前記棚は、前記デスク本体の天板と同一面をなす位置に着脱可能に取り付けられる第２の補助棚を有することを特徴とする。
【００１１】
このような構成によれば、デスク装置を第２の使用状態で使用する時は、デスク本体の天板と第２の補助棚とが同一面を形成するので、デスク本体の上の作業スペースを広く確保することができる。また、第２の補助棚は着脱可能なので、デスク装置を第１の使用状態で使用する時は、第２の補助棚を取り外すことにより、第２の補助棚が支障となることなくデスク本体の脚を棚の脚挿入穴に挿入させることができる。
【００１２】
また、本発明に係るデスク装置は、前記切り欠きと前記脚の間に、前記デスク本体及び前記棚の少なくともいずれか一方に設置された電気器具の電気配線を通過させるための隙間が設けられたことを特徴とする。
【００１３】
このような構成によれば、切り欠きと脚の間の隙間を通過させることで電気配線をデスク本体の下方へ引き出すことができるので、電気配線をデスク本体の上を引き回すことによって周囲の美観が損なわれることがない。
【００１４】
また、本発明に係るデスク装置は、前記棚の底部に、前記電気配線を前記棚の外部へ逃がすための配線逃がし穴が、前記脚挿入穴に連通して形成されたことを特徴とする。
【００１５】
このような構成によれば、配線逃がし穴を通して電気配線を棚の背面側へ逃がすことができる。また、配線逃がし穴が脚挿入穴に連通して形成されるので、配線逃がし穴を脚挿入穴と別に形成する場合と比較すれば、配線逃がし穴を目立ちにくくして棚の美観を良くすることができる。
【発明の効果】
【００１６】
本発明に係るデスク装置によれば、第１の使用状態で使用すれば棚へのアクセス性が良好となる一方、第２の使用状態で使用すれば天板上のスペースを最大限に確保することができ、使用者の用途や好みに応じた使用形態を任意に選択することができる。
【図面の簡単な説明】
【００１７】
【図１】本発明の実施形態に係るデスク装置の第１の使用状態を示す概略斜視図である。
【図２】デスク本体及び電気スタンドの外観を示す概略斜視図である。
【図３】図２におけるＡ−Ａ断面を示す概略断面図である。
【図４】デスク装置を構成する棚の外観を示す概略斜視図である。
【図５】棚本体の底部の背面側を拡大した部分拡大斜視図である。
【図６】棚から補助棚を取り外した状態を示す概略斜視図である。
【図７】補助棚の外観を示す概略斜視図である。
【図８】補助棚を構成する棚板を底面側から見た概略平面図である。
【図９】固定金具の取り付け構造を示す図であって、図２におけるＡ−Ａ断面を示す概略断面図である。
【図１０】デスク本体を棚本体の内部に収容する状態を示す概略斜視図である。
【図１１】デスク本体の脚を棚本体の脚挿入穴に挿入させた状態を示す概略斜視図である。
【図１２】図１１におけるＡ−Ａ断面を示す概略断面図である。
【図１３】第１の使用状態の変形例を示す概略斜視図である。
【図１４】デスク本体の内部に補助棚を取り付ける状態を示す概略斜視図である。
【図１５】図１１におけるＢ−Ｂ断面を示す概略斜視図である。
【図１６】デスク装置を第２の使用状態で使用する一例を示す概略斜視図である。
【図１７】デスク装置を第２の使用状態で使用する他の例を示す概略斜視図である。
【図１８】穴隠しキャップのデスク本体への取り付けを示す概略斜視図である。
【発明を実施するための形態】
【００１８】
以下、図面を参照し、本発明の実施の形態について説明する。まず、本発明の実施形態に係るデスク装置の構成について説明する。図１は、本実施形態に係るデスク装置１０の第１の使用状態ＵＡを示す概略斜視図である。デスク装置１０は、デスク本体１１と、このデスク本体１１の上に設置された電気スタンド（電気器具）１２と、不図示の本等を収容するための棚１３と、を備えるものである。
【００１９】
図２は、デスク本体１１及び電気スタンド１２の外観を示す概略斜視図である。デスク本体１１は、平面視略矩形の天板１１１と、この天板１１１の四隅を下方から支持する４本の脚１１２と、を有している。
【００２０】
天板１１１は、図２に示すように、平面視略矩形の天板本体１１１１と、使用者が位置する前部側で天板１１１の下部に設けられた引き出し１１１２と、天板本体１１１１の下部外縁に沿って設けられ脚１１２同士を連結する連結杆１１１３と、を有する。そして、天板本体１１１１と連結杆１１１３との間には、天板本体１１１１の外縁に沿うようにして凹溝１１１４が形成されている。ここで、図３は、図２におけるＡ−Ａ断面を示す概略断面図である。天板本体１１１１の外縁に沿って形成された凹溝１１１４の所定箇所には、その底部から連結杆１１１３を貫通してデスク本体１１の内側に達するようにして、後述する固定金具Ｋを挿通させるための金具挿通穴１１１５が形成されている。
尚、天板本体１１１１の平面視形状は、本実施形態に限られず適宜設計変更が可能である。また、天板１１１の引き出し１１１２、凹溝１１１４、及び金具挿通穴１１１５は、本発明に必須の構成ではない。
【００２１】
一方、４本の脚１１２は、その長手方向に直交する断面の形状（以下、単に「脚１１２の断面形状」と略す）が、略矩形形状をそれぞれ有している。尚、脚１１２は少なくとも複数本であれば、その本数や配設位置や断面形状は、本実施形態に限定されず適宜設計変更が可能である。
【００２２】
電気スタンド１２は、図２に示すように、蛍光灯（不図示）が装着されたスタンド本体１２１と、このスタンド本体１２１をデスク本体１１の天板１１１に設置するための固定具１２２と、蛍光灯に電力を供給するための電気配線１２３と、を有している。
【００２３】
尚、本実施形態では電気スタンド１２をデスク本体１１に設置したが、電気スタンド１２はデスク本体１１と棚１３のいずれか一方、または両方に設置することが可能である。また、本実施形態では本発明に係る電気器具として電気スタンド１２を例に説明するが、電気器具としては電動式鉛筆削り機や携帯電話の充電器等を用いてもよい。
【００２４】
図４は、棚１３の外観を示す概略斜視図である。棚１３は、上面及び正面が開口された箱状の棚本体１３１と、この棚本体１３１の内部における上部に着脱不能に設けられた固定棚１３２と、棚本体１３１の内部に着脱可能に設けられた補助棚１３３（第１の補助棚、第２の補助棚）と、を有している。
【００２５】
前記棚本体１３１は、図４に示すように、平面視略矩形の底板１３１１と、この底板１３１１の長手方向両端部から略垂直に起立して向かい合う一対の側板１３１２と、背面側を覆うように設けられ窓部Ｗが貫通形成された背板１３１３と、を有している。
【００２６】
ここで、向かい合う一対の側板１３１２の離間距離は、デスク本体１１の天板１１１の一部を棚本体１３１の内部に収容可能な幅、すなわち天板１１１の横幅と同程度かそれより若干大きく形成されている。
また、図５は、棚本体１３１の底部１３１ａの背面側を拡大した部分拡大斜視図である。棚本体１３１の底部１３１ａには、底板１３１１の長手方向両端部の角部を切り欠くことによって、デスク本体１１の脚１１２を挿入させるための脚挿入穴１３１１ａがそれぞれ形成されている。この脚挿入穴１３１１ａは、その平面視形状が略矩形であって、その大きさは脚１１２の断面形状より若干大きく形成されている。
また、棚１３の底部１３１ａには、背板１３１３の幅方向両端部の角部を略矩形に切り欠くことによって、棚１３の内部と外部とを連通する配線逃がし穴１３１３ａがそれぞれ形成されている。そして、この配線逃がし穴１３１３ａは、脚挿入穴１３１１ａに連通して形成されている。
【００２７】
尚、底板１３１１に形成する脚挿入穴１３１１ａの個数及びその平面視形状は、デスク本体１１の脚１１２の本数及びその断面形状に応じて適宜設計変更が可能である。また、棚本体１３１を構成する各部材の形状は、本実施形態に限られず任意に設計変更が可能である。また、本実施形態では棚本体１３１を底板１３１１と側板１３１２と背板１３１３とから構成したが、これらを任意の組み合わせで一体的に構成することも可能である。また、配線逃がし穴１３１３ａを、脚挿入穴１３１１ａと連通させることなく、脚挿入穴１３１１ａから離れた位置に形成してもよいが、本実施形態のように脚挿入穴１３１１ａに連通させることにより、配線逃がし穴１３１３ａを目立ちにくくして棚１３の美観を良くすることができる。
【００２８】
また、図６は、棚１３から補助棚１３３を取り外した状態を示す概略斜視図である。棚本体１３１を構成する一対の側板１３１２の内側面には、上下方向の４箇所に、ボスＢＯを挿入して取り付けるためのボス孔群１３１２ａ，１３１２ｂ，１３１２ｃ，１３１２ｄが、各側板１３１２の互いに向かい合う位置にそれぞれ形成されている。尚、本実施形態では配線逃がし穴１３１３ａを背板１３１３に形成したが、これに代えて又はこれと共に、一対の側板１３１２に配線逃がし穴をそれぞれ形成してもよい。
【００２９】
前記固定棚１３２は、図４に示すように、一対の側板１３１２の上部に横方向に架け渡された棚板１３２１と、この棚板１３２１の上に所望の間隔で配置されて上下方向に延びる複数枚の仕切り板１３２２と、を有している。尚、棚板１３２１や仕切り板１３２２の形状、及び仕切り板１３２２の個数は、本実施形態に限られず適宜設計変更が可能である。また、仕切り板１３２２は、横方向にスライド可能な可動型として、その位置を変更可能に構成してもよい。また、固定棚１３２は棚１３に必須の構成ではなく、固定棚１３２のない棚構成とすることも可能である。
【００３０】
図７は、前記補助棚１３３の外観を示す概略斜視図である。補助棚１３３は、互いに平行して横方向に延びる一対の棚板１３３１と、各棚板１３３１を連結して上下方向に延びる一対の仕切り板１３３２と、を有している。
【００３１】
一対の棚板１３３１は、共に平面視で略矩形形状を有し、その横幅は、前記棚本体１３１を構成する一対の側板１３１２の離間距離と略等しく形成されている。また、一対の棚板１３３１には、その幅方向両端部の角部に、デスク本体１１の脚１１２を挿通させるための切り欠き１３３１ａがそれぞれ形成されている。この切り欠き１３３１ａは、その平面視形状が棚本体１３１の前記脚挿入穴１３１１ａと略同形状であって、脚１１２の断面形状より若干大きい略矩形に形成されている。
また、図８は、棚板１３３１を底面側から見た概略平面図である。棚板１３３１の底面における幅方向両端部には、ボスの一部を嵌合させるためのボス嵌合溝１３３１ｂがそれぞれ形成されている。
【００３２】
このように構成される補助棚１３３は、棚本体１３１の内部における上下方向の２箇所、すなわち上部装着位置ＰＡと下部装着位置ＰＢとに着脱可能となっている。
補助棚１３３を棚本体１３１の上部装着位置ＰＡに装着する場合、まず、図６に示すように一対の側板１３１２の上下方向４箇所に形成されたボス孔群１３１２ａ，１３１２ｂ，１３１２ｃ，１３１２ｄのうち、最上段のボス孔群１３１２ａと上から３段目のボス孔群１３１２ｃに対してボスＢＯをそれぞれ挿入させることにより、側板１３１２にボスＢＯを突出状態で取り付ける（図６には不図示）。
その上で、補助棚１３３を、図１４に示すように棚板１３３１の切り欠き１３３１ａが棚１３の背面側に位置するようにして、棚１３の内部に差し込み、一対の棚板１３３１の底面に形成された図８に示す各ボス嵌合溝１３３１ｂを、棚本体１３１の側板１３１２から突出した各ボスＢＯにそれぞれ嵌合させる。これにより補助棚１３３が、各ボスＢＯで下方から支持された状態で、棚本体１３１の上部装着位置ＰＡに装着される。そしてこの時、図１４に示すように、補助棚１３３の棚板１３３１の上面は、デスク本体１１の天板１１１の上面と略同一面をなす高さである。
【００３３】
補助棚１３３を棚本体１３１の下部装着位置ＰＢに装着する場合、まず、図６に示すように一対の側板１３１２の上下方向４箇所に形成されたボス孔群１３１２ａ，１３１２ｂ，１３１２ｃ，１３１２ｄのうち、上から２段目のボス孔群１３１２ｂと最下段のボス孔群１３１２ｄに対してボスＢＯをそれぞれ挿入させることにより、側板１３１２にボスＢＯを突出状態で取り付ける。
その上で、補助棚１３３を、図４に示すように棚板１３３１の切り欠き１３３１ａが棚１３の背面側に位置するようにして、棚１３の内部に差し込み、一対の棚板１３３１の底面に形成された各ボス嵌合溝１３３１ｂを、棚本体１３１の側板１３１２から突出した各ボスＢＯに対してそれぞれ嵌合させる。これにより補助棚１３３が、各ボスＢＯで下方から支持された状態で、棚本体１３１の下部装着位置ＰＢに装着される。そしてこの時、図１に示すように、補助棚１３３の棚板１３３１の上面は、デスク本体１１の天板１１１の底面より低い高さである。
【００３４】
尚、補助棚１３３を構成する棚板１３３１や仕切り板１３３２の形状や枚数は、本実施形態に限定されず適宜設計変更が可能である。また、補助棚１３３を構成する棚板１３３１の枚数は、本実施形態の２枚に限られず、１枚であってもよい。また、本実施形態では棚板１３３１と仕切り板１３３２とを一体構成したが、棚板１３３１と仕切り板１３３２とを別部材として構成し、棚本体１３１に対して各部材を別々に取り付けてもよい。
また、棚板１３３１に形成する切り欠き１３３１ａの位置、個数、及びその平面視形状は、デスク本体１１の脚１１２の本数及びその断面形状に応じて適宜設計変更が可能であり、脚１１２の断面形状より若干大きく形成されていれば、棚本体１３１の脚挿入穴１３１１ａと異なる平面視形状であってもよい。
更に、本実施形態では、補助棚１３３を棚本体１３１の上部装着位置ＰＡと下部装着位置ＰＢとに着脱可能とすることにより、本発明に係る第１の補助棚の機能と第２の補助棚の機能の両方を補助棚１３３に持たせている。しかし、これに限られず、第１の補助棚の機能を有する補助棚と第２の補助棚の機能を有する補助棚を別々に設けてもよい。例えば、図に詳細は示さないが、切り欠き１３３１ａが形成された第１補助棚を、下部装着位置ＰＢに着脱不能に設け、且つ、デスク本体１１の天板１１１と同一面をなす第２補助棚を、上部装着位置ＰＡに着脱可能に設けてもよい。
【００３５】
次に、本実施形態に係るデスク装置１０を第１の使用状態ＵＡで使用するための手順、及びその作用効果について説明する。デスク装置１０を第１の使用状態ＵＡで使用する場合、使用者は、図６に示すように、まず棚１３から補助棚１３３を取り外し、棚１３の内部にデスク本体１１を収容できるようにする。
【００３６】
次に、使用者は、デスク本体１１に固定金具Ｋを取り付ける。すなわち、使用者は、図９に示すように、連結杆１１１３に形成された金具挿通穴１１１５に対して、Ｌ型の固定金具Ｋの一片Ｋａをそれぞれ挿通させ、この固定金具Ｋの他片Ｋｂを天板１１１の上面より上に突出させた状態とする。そして、固定ネジＮを用いることにより、各固定金具Ｋの一片Ｋａを天板１１１にそれぞれ固定する。
【００３７】
次に、使用者は、デスク本体１１の一部を棚１３の内部に収容する。すなわち、使用者は、図１０に示すように、幅方向両側に固定金具Ｋを取り付けたデスク本体１１を若干持ち上げ、その背面側の一部を、棚本体１３１の内部に挿入する。この時、前述のように、棚本体１３１を構成する一対の側板１３１２の離間距離は、デスク本体１１を構成する天板１１１の横幅と同程度かそれより若干大きく形成されているため、一対の側板１３１２の間に天板１１１を挿入することができる。
そして、棚本体１３１の内部に挿入した状態のデスク本体１１を下方に降ろすことにより、図１１に示すように、デスク本体１１を構成する４本の脚１１２のうち背面側に位置する２本の脚１１２を、棚本体１３１の底部１３１ａの背面側に形成された一対の脚挿入穴１３１１ａに対してそれぞれ挿入させる。ここで、前述のように、一対の脚挿入穴１３１１ａは、その平面視形状が脚１１２の断面形状より若干大きく形成されているので、脚挿入穴１３１１ａに脚１１２を挿入させた状態では、図１２に示すように、脚挿入穴１３１１ａと脚１１２との間に若干の隙間ＳＫ１が形成される。
【００３８】
尚、本実施形態では、第１の使用状態ＵＡとして、デスク本体１１の背面側の一部を棚１３の内部に収容する場合を例に説明するが、これに代えて、デスク本体１１の側面側の一部を棚１３の内部に収容してもよい。図１３は、第１の使用状態ＵＡの変形例を示す概略斜視図である。この変形例では、棚本体１３１の底部１３１ａの背面側に、一対の脚挿入穴１３１１ａが、デスク本体１１の側面側に位置する２本の脚１１２に対応する間隔で形成されている。そして、この一対の脚挿入穴１３１１ａに対し、側面側に位置する２本の脚１１２をそれぞれ挿入させる。ここで、棚本体の１３１の底部１３１ａにおいて一対の脚挿入穴１３１１ａを形成する位置は、図１３の位置に限られず、棚本体１３１の幅方向の任意の位置に変更可能である。
【００３９】
次に、使用者は、デスク本体１１を棚１３に固定する。すなわち、前述のように一対の側板１３１２の離間距離は天板１１１の横幅と同程度かそれより若干大きく形成されているため、デスク本体１１を棚本体１３１の内部に収容した状態においては、図９に示すように、天板１１１の側面に取り付けられた固定金具Ｋの他片Ｋｂが、側板１３１２の内側面に当接した状態となっている。使用者は、固定ネジＮを用いることにより、この固定金具Ｋの他片Ｋｂを側板１３１２に固定する。尚、デスク本体１１は必ずしも棚１３に固定する必要はないが、本実施形態のように固定金具Ｋを用いて両者を固定すれば、外力の作用を受けても棚１３が倒れにくいという利点がある。
【００４０】
次に、使用者は、補助棚１３３を棚本体１３１に取り付ける。すなわち、使用者は、前述のように予め棚１３から取り外した状態の補助棚１３３を、図１４に示すように、デスク本体１１の脚１１２の間を通して、棚本体１３１の下部装着位置ＰＢに装着する。ここで、前述のように下部装着位置ＰＢとは、補助棚１３３を装着した時にその棚板１３３１の上面が、デスク本体１１を構成する天板１１１の底面より低い位置にあるような装着位置である。従って、天板１１１と干渉することなく、補助棚１３３を棚本体１３１の下部装着位置ＰＢに装着することができる。
また、前述のように、一対の棚板１３３１にそれぞれ形成された切り欠き１３３１ａは、その平面視形状が脚１１２の断面形状より若干大きく形成されている。従って、図１１に示すように、脚挿入穴１３１１ａに挿入された２本の脚１１２と干渉することなく、補助棚１３３を棚本体１３１に装着することができるとともに、補助棚１３３を棚本体１３１に装着した状態では、図１４に示すように、切り欠き１３３１ａと脚１１２との間に若干の隙間ＳＫ２が形成される。
尚、本実施形態では、補助棚１３３を棚本体１３１から予め取り外してから、デスク本体１１の一部を棚本体１３１の内部に収容したが、棚１３の構成によっては、補助棚１３３が棚本体１３１に装着された状態のまま、デスク本体１１の一部を棚本体１３１の内部に収容してもよい。
また、図１３に示すように、デスク本体１１の側面側の一部を棚１３の内部に収容する場合は、デスク本体１１の前部側から見て脚１１２の間隔が狭いため、補助棚１３３を装着することなく棚本体に１３１を使用してもよい。
【００４１】
最後に、使用者は、電気スタンド１２をデスク本体１１に設置し、その電気配線１２３を棚１３の背面側へと配線する。すなわち、使用者は、図１に示すように、電気スタンド１２の固定具１２２を天板１１１に取り付け、その電気配線１２３を、棚１３の内部であって天板１１１と補助棚１３３との間の空間へと引き込む。そして、使用者は、この電気配線１２３を、図１４に示すように切り欠き１３３１ａと脚１１２との間の隙間ＳＫ２を通し、図１１に示すように脚１１２に沿わせるようにして下方へ引き延ばす。
そして、使用者は、図１２に示すように、この電気配線１２３を、脚挿入穴１３１１ａと脚１１２との間の隙間ＳＫ１に達するまで引き延ばし、脚挿入穴１３１１ａに連通するようにして背板１３１３に形成された配線逃がし穴１３１３ａを通すことにより、電気配線１２３を棚１３の背面側へ逃がす。
【００４２】
尚、電気配線１２３は必ずしも隙間ＳＫ１まで引き延ばす必要はなく、隙間ＳＫ１の上方において配線逃がし穴１３１３ａから棚１３の背面側へ逃がしてもよい。また、本実施形態では電気スタンド１２をデスク本体１１に設置したが、これ限られず電気スタンド１２を棚１３に、例えば棚１３を構成する固定棚１３２に設置してもよい。
【００４３】
一方、本実施形態に係るデスク装置１０を第２の使用状態で使用するための手順、及びその作用効果について説明する。図１５は、デスク装置１０を第２の使用状態ＵＢで使用する一例を示す概略斜視図である。デスク装置１０を第２の使用状態ＵＢで使用する場合、使用者は、図６に示す棚本体１３１の上部装着位置ＰＡに対し、補助棚１３３を取り付ける。尚、デスク本体１１や棚１３の構成自体は、第１の使用状態ＵＡと同じであるため、その説明を省略して同じ符号を用いる。
【００４４】
次に、使用者は、図１５に示すように、デスク本体１１を棚１３に突き合わせる。より詳細には、デスク本体１１を構成する天板１１１の後部側の縁部１１１ａを、補助棚１３３を構成する棚板１３３１に対して突き合わせる。この時、デスク本体１１を構成する脚１１２の下端部が、棚本体１３１を構成する底板１３１１に当接した状態となっている。
ここで、前述のように、補助棚１３３を上部装着位置ＰＡに装着した時、その棚板１３３１の上面は、デスク本体１１の天板１１１の上面と略同一面をなす高さである。従って、使用者は、天板１１１の上面に加えて棚板１３３１の上面も使用して作業を行うことができ、作業スペースを広く確保することができる。
【００４５】
また、図１７は、デスク装置１０を第２の使用状態ＵＢで使用する他の例を示す概略斜視図である。この場合、図１５の場合と比較すると、補助棚１３３を棚本体１３１の上部装着位置ＰＡに装着する点は同じであるが、デスク本体１１を棚１３に突き合わせる時に、デスク本体１１を構成する天板１１１の側部側の縁部１１１ｂを、補助棚１３３を構成する棚板１３３１に対して突き合わせる点で異なっている。
この図１６に示すような第２の使用状態ＵＢでも、補助棚１３３を構成する棚板１３３１の上面が、デスク本体１１を構成する天板１１１の上面と略同一面をなすので、作業スペースを広く確保することができる。
【００４６】
ここで、図１６及び図１７に示す第２の使用状態ＵＢでデスク装置１０を使用する場合、棚本体１３１の底部１３１ａに形成された脚挿入穴１３１１ａ及び配線逃がし穴１３１３ａは、デスク本体１１の脚１１２が挿入されることなく、棚１３の正面側に露呈した状態となり、美観が損なわれる。従って、第２の使用状態ＵＢでデスク装置１０を使用する場合には、図１８に示すように、脚挿入穴１３１１ａと配線逃がし穴１３１３ａを覆うようにして穴隠しキャップＣを装着してもよい。これによれば、脚挿入穴１３１１ａと配線逃がし穴１３１３ａが棚１３の正面側から見えないので、美観を良好に保つことができる。
【００４７】
また、図１６及び図１７に示すように、デスク本体１１を第２の使用状態ＵＢで使用する場合には、補助棚１３３を棚本体１３１の上部装着位置ＰＡに装着するため、補助棚１３３の下方に比較的広い空間Ｓが生じる。従って、上下方向に延びる仕切り板ＳＢを用いてこの空間Ｓを適宜区分けすれば、より使い勝手良く棚１３を使用することができる。
【００４８】
尚、図１６及び図１７に詳細は示さないが、第２の使用状態ＵＢにおいても、第１の使用状態ＵＡと同様に、デスク装置１０または棚１３に電気スタンド１２等の電気器具を設置してもよい。この場合も、その電気スタンド１２の電気配線１２３を、切り欠き１３３１ａと脚１１２との間の隙間ＳＫ２、及び脚挿入穴１３１１ａと脚１１２との間の隙間ＳＫ１をそれぞれ通し、背板１３１３に形成された配線逃がし穴１３１３ａを通して棚１３の背面側へ逃がすことが出来る。この場合、配線逃がし穴１３１３ａに装着した前記穴隠しキャップＣは取り外せばよい。
【００４９】
尚、上述した実施形態において示した各構成部材の諸形状や組み合わせ、或いは動作手順等は一例であって、本発明の主旨から逸脱しない範囲において設計要求等に基づき種々変更可能である。
【符号の説明】
【００５０】
１０…デスク装置
１１…デスク本体
１１１…天板
１１１ａ，１１１ｂ…縁部
１１２…脚
１２…電気スタンド（電気器具）
１３…棚
１３１１…底板
１３１１ａ…脚挿入穴
１３１３ａ…配線逃がし穴
１３３…補助棚（第１の補助棚、第２の補助棚）
１３３１ａ…切り欠き
ＳＫ１…隙間（切り欠き１３３１ａと脚１１２の間）
ＵＡ…第１の使用状態
ＵＢ…第２の使用状態
【図１】
0005593151.tif 000002
【図２】
0005593151.tif 000003
【図３】
0005593151.tif 000004
【図４】
0005593151.tif 000005
【図５】
0005593151.tif 000006
【図６】
0005593151.tif 000007
【図７】
0005593151.tif 000008
【図８】
0005593151.tif 000009
【図９】
0005593151.tif 000010
【図１０】
0005593151.tif 000011
【図１１】
0005593151.tif 000012
【図１２】
0005593151.tif 000013
【図１３】
0005593151.tif 000014
【図１４】
0005593151.tif 000015
【図１５】
0005593151.tif 000016
【図１６】
0005593151.tif 000017
【図１７】
0005593151.tif 000018
【図１８】
0005593151.tif 000019